(57)【特許請求の範囲】
【請求項１】
ソケットに装着され得るカメラモジュールであって、前記ソケットは、当該カメラモジュールをロックするための複数のロックピンを備え、前記カメラモジュールは、
レンズアセンブリをレンズの光軸方向に沿って移動可能に支持する、ムービングコイル方式の駆動部を含むアクチュエータ本体であって、前記駆動部は、永久磁石を内壁面に配置する筒状のシールドヨークを有する、前記アクチュエータ本体と、
撮像素子を搭載するセンサ基板と、
前記アクチュエータ本体と前記センサ基板との間に配置されるベース部材とから構成され、
前記シールドヨークの外形を前記ソケットの形状に合わせた略四角筒とし、
前記シールドヨークは、前記略四角筒の外側に曲げ部を備え、
前記ロックピンにより前記曲げ部をロックすることにより前記ベース部材を保持することを特徴とする、カメラモジュール。
【請求項２】
前記ベース部材は、前記曲げ部の下に接着溝を持つ、請求項１に記載のカメラモジュール。
【請求項３】
前記アクチュエータ本体は、
前記レンズアセンブリを保持するための筒状部を有するレンズホルダと、
該レンズホルダに前記筒状部の外周囲に位置するように固定されたリング状の駆動コイルと、
該駆動コイルと対向する前記永久磁石と、
該永久磁石を保持するヨークであって、内壁面に前記永久磁石を配置する筒状の前記シールドヨークと、前記駆動コイルを間に挟んで前記永久磁石と対向する複数個のバックヨークとを含む、前記ヨークと、
前記レンズホルダの筒状部の光軸方向両側に設けられ、前記レンズホルダを径方向に位置決めした状態で光軸方向に変位可能に支持する一対の板バネと、
を備える、
請求項１又は２に記載のカメラモジュール。
【請求項４】
前記シールドヨークは、四角筒状をしており、
前記駆動コイルは、円筒状をしており、
前記永久磁石は、前記シールドヨークの四隅に取り付けられた４個の略三角柱状の永久磁石片から成り、
前記バックヨークは４個あって、前記４個のバックヨークは、前記駆動コイルを間に挟んで前記４個の略三角柱状の永久磁石片と対向して、前記光軸と平行に延在している、
請求項３に記載のカメラモジュール。
【発明の詳細な説明】
【技術分野】
【０００１】
本発明はカメラモジュールに関し、特に、ソケットに装着され得るカメラモジュールに関する。
【背景技術】
【０００２】
カメラ付携帯電話機には携帯型小型カメラが搭載されている。この携帯型小型カメラには、オートフォーカス用レンズ駆動装置を含むカメラモジュールが用いられる。従来から、種々のカメラモジュールが提案されている。このようなレンズ駆動装置に使用される駆動源（駆動方法）として、ボイス・コイル・モータ（ＶＣＭ）を使用したＶＣＭ方式が知られている。ＶＣＭ方式のレンズ駆動装置では、駆動源（駆動部）として、駆動コイルと、ヨークおよび永久磁石から構成される磁気回路とを備えている。レンズ駆動装置は、アクチュエータとも呼ばれる。ＶＣＭ方式の駆動源（駆動部）は、「ムービングコイル方式」の駆動部と、「ムービングマグネット方式」の駆動部とに大別される。
【０００３】
尚、レンズ駆動装置の下部には、撮像素子（イメージセンサ）を搭載したセンサ基板が搭載される。レンズ駆動装置とセンサ基板と撮像素子（イメージセンサ）との組み合わせは、カメラモジュールと呼ばれる。
【０００４】
この技術分野において周知のように、撮像素子（イメージセンサ）を搭載するセンサ基板には、当該撮像素子（イメージセンサ）を駆動するために撮像素子（イメージセンサ）にクロック信号を供給するクロック発生源が実装されている。このクロック発生源がノイズ発生源として外部へノイズを発生し、アンテナへ悪影響を及ぼしてしまう。そのため、カメラモジュールには電磁遮蔽を施す必要がある。
【０００５】
従来から種々の先行技術文献が知られている。
【０００６】
例えば、特許文献１（特開２００８−１１１８７６号公報）は、「ムービングマグネット方式」の駆動部を含むカメラモジュールを有する撮像装置（携帯型小型カメラ）を開示している。撮像装置は、カメラモジュールと、カメラモジュールが装着されるソケットと、ソケットに装着されるカバーとを含んで構成される。
【０００７】
特許文献１に開示されたカメラモジュールは、収容空間を有する鏡筒部を構成するケースと、撮像光学系を保持し収容空間に収容されたレンズ保持部と、収容空間に配設されレンズ保持部を撮像光学系の光軸に沿って移動可能に支持するスプリングと、鏡筒部に設けられ撮影光学系によって導かれる被写体像を撮像する撮像素子と、レンズ保持部を撮影光学系の光軸によって移動させる駆動部とを備える。駆動部は、レンズ保持部に設けられたマグネットと、鏡筒部に設けられマグネットに臨むコイルとを含んで構成される。
【０００８】
特許文献１に開示された撮像装置において、ケースは合成樹脂製で、導電性を有するカメラ本体用遮蔽板が設けられている。ケースはその側面に凸部を有する。一方、ソケットは、ソケット本体と、ソケット用遮蔽板と、弾性片とを備える。弾性片の中間部には、ソケット本体の内側に突出する屈曲部が設けられている。この屈曲部がケースの側面の凸部に係止することで、カメラモジュールがソケットの底壁から離れる方向への移動が阻止されている。
【０００９】
一方、特許文献２（特開２００９−２７１４０５号公報）は、「ムービングコイル方式」の駆動部を含むカメラモジュールを開示している。この特許文献２に開示されたレンズモジュールは、レンズアセンブリをレンズの光軸方向に沿って移動可能に支持するアクチュエータ本体と、撮像素子を搭載するセンサ基板と、アクチュエータ本体とセンサ基板との間に配置されたベース部材と、から構成されている。また、特許文献２は、ベース部材の外周側面にシールド膜を蒸着したものも開示している。
【００１０】
引用文献２に開示されたレンズモジュールにおいて、アクチュエータ本体は、レンズアセンブリを保持するための筒状部を有するレンズホルダと、このレンズホルダに筒状部の周囲に位置するように固定された駆動コイルと、この駆動コイルと対向する永久磁石を備えたヨークと、レンズホルダの筒状部の光軸方向両側に設けられ、レンズホルダを径方向に位置決めした状態で光軸方向に変位可能に支持する上側板バネおよび下側板バネと、を備える。
【先行技術文献】
【特許文献】
【００１１】
【特許文献１】特開２００８−１１１８７６号公報
【特許文献２】特開２００９−２７１４０５号公報
【発明の概要】
【発明が解決しようとする課題】
【００１２】
上述した特許文献１および２に開示されたカメラモジュールには、それぞれ、次に述べるような問題点がある。
【００１３】
特許文献１に開示された、「ムービングマグネット方式」の駆動部を含むカメラモジュールでは、導電性を有するカメラ本体用遮蔽板を含むケースが必要となる。その結果、構成部品が増加してしまうという問題がある。
【００１４】
一方、特許文献２に開示された、「ムービングコイル方式」の駆動部を含むカメラモジュールは、ソケットに装着されるような構造を有していない。ソケットに装着するためには、アクチュエータ本体がベース部材から抜けることがない構造が必要である。
【００１５】
したがって、本発明の課題は、部品点数を増やすことなく、アクチュエータ本体がベース部材から抜けるのを防止できる、ソケットに装着可能な「ムービングコイル方式」の駆動部を含むカメラモジュールを提供することにある。
【００１６】
本発明の他の目的は、説明が進むにつれて明らかになるだろう。
【課題を解決するための手段】
【００１７】
本発明の態様によるカメラモジュール（１００）は、ソケット（６０）に装着され得るカメラモジュールであって、前記ソケット（６０）は、当該カメラモジュールをロックするための複数のロックピン（６６）を備え、前記カメラモジュール（１００）は、レンズアセンブリ（１２）をレンズの光軸（Ｏ）方向に沿って移動可能に支持する、ムービングコイル方式の駆動部を含むアクチュエータ本体（１０）であって、前記駆動部は、永久磁石（１８）を内壁面に配置する筒状のシールドヨーク（２０２）を有する、前記アクチュエータ本体（１０１）と；撮像素子（４２）を搭載するセンサ基板（４０）と；前記アクチュエータ本体と前記センサ基板との間に配置されるベース部材（５０）とから構成され、前記シールドヨーク（２０２）の外形を前記ソケット（６０）の形状に合わせた略四角筒とし、前記シールドヨーク（２０２）は、前記略四角筒の外側に曲げ部（２０２ｃ）を備え、前記ロックピン（６６）により前記曲げ部（２０２ｃ）をロックすることにより前記ベース部材（５０）を保持する。
【００１８】
上記本発明に係るカメラモジュール（１００）において、前記ベース部材（５０）は、前記曲げ部の下に接着溝（５０ｃ）を持つことが好ましい。
【００１９】
また、上記本発明に係るカメラモジュール（１００）において、前記アクチュエータ本体（１０）は、例えば、前記レンズアセンブリ（１２）を保持するための筒状部（１４０）を有するレンズホルダ（１４）と、該レンズホルダに前記筒状部の外周囲に位置するように固定されたリング状の駆動コイル（１６）と、該駆動コイルと対向する前記永久磁石（１８）と、該永久磁石を保持するヨーク（２０）であって、内壁面に前記永久磁石を配置する筒状の前記シールドヨーク（２０２）と、前記駆動コイルを間に挟んで前記永久磁石と対向する複数個のバックヨーク（２０６）とを含む、前記ヨーク（２０）と、前記レンズホルダの筒状部の光軸方向両側に設けられ、前記レンズホルダを径方向に位置決めした状態で光軸方向に変位可能に支持する一対の板バネ（２２，２４）と、を備えるものであってよい。前記シールドヨーク（２０２）は、四角筒状をしていてよく、前記駆動コイル（１６）は、円筒状をしていてよく、前記永久磁石（１８）は、前記シールドヨークの四隅に取り付けられた４個の略三角柱状の永久磁石片（１８２）から成ってよい。この場合、前記バックヨーク（２０６）は４個あって、前記４個のバックヨーク（２０６）は、前記駆動コイルを間に挟んで前記４個の略三角柱状の永久磁石片と対向して、前記光軸と平行に延在していることが好ましい。
【００２０】
尚、上記括弧内の参照符号は、理解を容易にするために付したものであり、一例に過ぎず、これらに限定されないのは勿論である。
【発明の効果】
【００２１】
本発明では、シールドヨークが、ロックピンを受ける曲げ部を備えているので、部品点数を増やすことなく、アクチュエータ本体がベース部材から抜けるのを防止できる。
【図面の簡単な説明】
【００２２】
【図１】本発明の一実施の形態によるカメラモジュールをソケットに装着した状態を示す斜視図である。
【図２】レンズアセンブリが装着された、図１に図示したカメラモジュールをソケットに装着した状態を示す断面斜視図である。
【図３】図１に示したカメラモジュール内の、アクチュエータ本体とベース部材とを示す分解斜視図である。
【図４】図１に示したカメラモジュールが装着されるソケットの斜視図である。
【図５】図３に示したアクチュエータ本体に使用されるヨークを示す斜視図である。
【図６】図３に示したベース部材５０の斜視図である。
【図７】図３に示したアクチュエータ本体とベース部材とを組み合せた組立体を、斜め前方上方から観た斜視図である。
【図８】図３に示したアクチュエータ本体とベース部材とを組み合せた組立体を、斜め後方上方から観た斜視図である。
【発明を実施するための形態】
【００２３】
以下、図面を参照して、本発明の実施の形態について説明する。
【００２４】
図１乃至図８を参照して、本発明の一実施の形態によるカメラモジュール１００について説明する。図１はカメラモジュール１００をソケット６０に装着した状態を示す斜視図であり、図２はレンズアセンブリ（レンズバレル）１２が装着されたカメラモジュール１００をソケット６０に装着した状態を示す断面斜視図である。図３は、図１に示したカメラモジュール１００内の、アクチュエータ本体１０とベース部材５０とを示す分解斜視図である。図４は、カメラモジュール１００が装着されるソケット６０の斜視図である。図５は、図３に示したアクチュエータ本体１０に使用されるヨーク２０を示す斜視図である。図６は、図３に示したベース部材５０の斜視図である。図７は、図３に示したアクチュエータ本体１０とベース部材５０とを組み合せた組立体を、斜め前方上方から観た斜視図である。図８は、図３に示したアクチュエータ本体１０とベース部材５０とを組み合せた組立体を、斜め後方上方から観た斜視図である。
【００２５】
ここでは、図１乃至図８に示されるように、直交座標系（Ｘ，Ｙ，Ｚ）を使用している。図１乃至図８に図示した状態では、直交座標系（Ｘ，Ｙ，Ｚ）において、Ｘ軸方向は前後方向（奥行方向）であり、Ｙ軸方向は左右方向（幅方向）であり、Ｚ軸方向は上下方向（高さ方向）である。そして、図１乃至図８に示す例においては、上下方向Ｚがレンズの光軸Ｏ方向である。
【００２６】
但し、実際の使用状況においては、光軸Ｏ方向、すなわち、Ｚ軸方向が前後方向となる。換言すれば、Ｚ軸の上方向が前方向となり、Ｚ軸の下方向が後方向となる。
【００２７】
図示のカメラモジュール１００は、オートフォーカス可能なカメラ付き携帯電話機に備えられるものであって、ソケット６０に装着された状態で使用される。
【００２８】
図示のカメラモジュール１００は、レンズアセンブリ１２をレンズの光軸Ｏ方向に沿って移動可能に支持するアクチュエータ本体１０と、撮像素子４２を搭載するセンサ基板４０と、アクチュエータ本体１０とセンサ基板４０との間に配置されるベース部材５０とから構成される。アクチュエータ本体１０は、ムービングコイル方式の駆動部（後述する）を含む。
【００２９】
アクチュエータ本体１０は、レンズアセンブリ（レンズバレル）１２を光軸Ｏ方向に移動させるためのものである。したがって、光軸Ｏは駆動軸である。アクチュエータ本体１０の、Ｚ軸方向（光軸Ｏ方向）の下側（後側）に、ベース部材５０が配置される。
【００３０】
図２に示されるように、ベース部材５０の下部（後部）には、センサ基板４０に配置された撮像素子４２が搭載される。この撮像素子４２は、レンズアセンブリ１２により結像された被写体像を撮像して電気信号に変換する。撮像素子４２は、例えば、ＣＣＤ（charge coupled device）型イメージセンサ、ＣＭＯＳ（complementary metal oxide semiconductor）型イメージセンサ等により構成される。
【００３１】
次に、アクチュエータ本体１０の構成について説明する。
【００３２】
アクチュエータ本体１０は、レンズアセンブリ（レンズバレル）１２を保持するための筒状部１４０を有するレンズホルダ１４と、このレンズホルダ１４に筒状部１４０の周囲に位置するように固定された駆動コイル１６と、この駆動コイル１６と対向して配置された永久磁石１８と、この永久磁石１８を保持するヨーク２０と、レンズホルダ１４の筒状部１４０の光軸Ｏ方向両側に設けられた一対の板バネ２２、２４を備える。
【００３３】
永久磁石１８とヨーク２０とによって磁気回路が構成される。磁気回路（１８，２０）と駆動コイル１６との組み合わせによって、ムービングコイル方式の駆動部が構成される。
【００３４】
一対の板バネ２２、２４は、レンズホルダ１４を径方向に位置決めした状態で光軸Ｏ方向に変位可能に支持する。一対の板バネ２２、２４のうち、一方の板バネ２２は上側板バネと呼ばれ、他方の板バネ２４は下側板バネと呼ばれる。
【００３５】
また、前述したように、実際の使用状況においては、Ｚ軸方向（光軸Ｏ方向）の上方向が前方向、Ｚ軸方向（光軸Ｏ方向）の下方向が後方向となる。したがって、上側板バネ２２は前側スプリングとも呼ばれ、下側板バネ２４は後側スプリングとも呼ばれる。
【００３６】
上側板バネ（前側スプリング）２２および下側板バネ（後側スプリング）２４は、例えば、ステンレス鋼やベリリウム銅などの金属製からなる。そして、上側板バネ（前側スプリング）２２および下側板バネ（後側スプリング）２４は、所定の薄板に対するプレス加工、あるいはフォトリソグラフィ技術を用いたエッチング加工により製造される。尚、プレス加工よりもエッチング加工の方が好ましい。その理由は、エッチング加工では、板バネに残留応力が残らないからである。
【００３７】
図１乃至図３および図５に示されるように、ヨーク２０は四角筒状をしている。すなわち、ヨーク２０は、四角筒形状の外筒部２０２と、この外筒部２０２の上端で、外筒部の内側へ延出する四角形のリング状端部２０４と、このリング状端部２０４の内側の四隅で光軸Ｏと平行に垂直下方へ延在する４個の内側垂直延在部２０６と、から構成される。外筒部２０２はシールドヨークと呼ばれ、４個の内側垂直延在部２０６の各々はバックヨークと呼ばれる。
【００３８】
一方、駆動コイル１６は、円筒状をしている。レンズホルダ１４の筒状部１４０は、９０°の角度間隔で、半径方向外側へ突出する４つの接触面１４０−１を持つ。これら４つの接触面１４０−１に、駆動コイル１６が接着される。すなわち、駆動コイル１６は、４つの接触面１４０−１で接着されている。
【００３９】
これに対して、永久磁石１８は、駆動コイル１６に対向して配置された４個の略三角柱状の永久磁石片１８２から構成される。４個の永久磁石片１８２は、ヨーク２０の外筒部(シールドヨーク)２０２の４隅の内壁面に配置されている。とにかく、永久磁石１８は、ヨーク２０の四角筒形状の外筒部（シールドヨーク）２０２の四隅に配置された、４個の略三角柱状の永久磁石片１８２から成る。
【００４０】
図２に示されるように、ヨーク２０の外筒部（シールドヨーク）２０２の四隅の内周面に、駆動コイル１６と間隔を置いて、永久磁石１８が配置されている。
【００４１】
上側板バネ２２はレンズホルダ１４における光軸Ｏ方向の上端側に配置され、下側板バネ２４はレンズホルダ１４における光軸Ｏ方向の下端側に配置される。
【００４２】
上側板バネ２２は、レンズホルダ１４の上端に後述のようにして取り付けられる内周側端部２２２と、ヨーク２０のリング状端部２０４に後述のようにして取り付けられる外周側端部２２４とを有する。内周側端部２２２と外周側端部２２４との間には、複数の腕部２２６が設けられている。各腕部２２６は、内周側端部２２２と外周側端部２２４とを繋いでいる。
【００４３】
上側板バネ２２の内周側端部２２２は、レンズホルダ１４とストッパ２６に挟持されて固定されている。換言すれば、ストッパ２６は、上側板バネ２２の内周側端部２２２を、レンズホルダ１４の上端との間で挟持するように、レンズホルダ１４と嵌合する。
【００４４】
ストッパ２６には、次に述べるような機能がある。すなわち、ストッパ２６は、上側板バネ２２の内周側端部２２２をレンズホルダ１４にバラツキなく高精度に密着させる機能を持つ。これにより、ＶＣＭ（ボイス・コイル・モータ）特性のバラツキを改善できる。また、ストッパ２６は、上側板バネ２２の接着強度を向上させる機能を持つ。これにより、アクチュエータ本体１０の耐衝撃性を向上させている。さらに、ストッパ２６は、アクチュエータ本体１０を搭載するカメラ付き携帯電話機の落下衝撃の際の上側板バネ２２の変形を防止する機能を持つ。これによっても、アクチュエータ本体１０の耐衝撃性を向上させている。また、ストッパ２６は、アクチュエータ本体１０の機械的ストロークを決める機能を持つ。
【００４５】
一方、上側板バネ２２の外周側端部２２４は、ヨーク２０のリング状端部２０４とカバー２８との間に挟持され固定されている。詳述すると、カバー２８は、中央部に円形開口部２８ａを持つ、四角リング形状をしている。カバー２８は、その四隅で下方へ突出する４つの突起２８２を持つ。上側板バネ２２の外周側端部２２４は、これら４つの突起２８２が貫通する２つの貫通孔２２４ａおよび２つの切欠き部２２４ｂを持つ。そして、ヨーク２０のリング状端部２０４は、その四隅に、４つの突起２８２が嵌入される４つの嵌入孔２０４ａを持つ。したがって、カバー２８の４つの突起２８２は、上側板バネ２２の外周側端部２２４の２つの貫通孔２２４ａおよび２つの切欠き部２２４ｂを介して、ヨーク２０のリング状上端部２０４の４つの嵌入孔２０４ａに嵌入される。
【００４６】
尚、上側板バネ２２の外周側端部２２４とカバー２８との間には、バネ定数を調整するためのリング状プレート３４が配置されている。
【００４７】
下側板バネ２４は、レンズホルダ１４の下端に取り付けられる内周側端部２４２と、ベース部材５０に後述のようにして取り付けられる外周側端部２４４とを有する。
【００４８】
下側板バネ２４の内周側端部２４２は、レンズホルダ１４の下端側に固定されている。
【００４９】
一方、下側板バネ２４の外周側端部２４４は、スペーサ３０を介してヨーク２０に固定されている。換言すれば、スペーサ３０と下側板バネ２４の外周側端部２４４とは、ヨーク２０とベース部材５０との間に挟持されて固定されている。
【００５０】
詳述すると、図６に示されるように、ベース部材５０は、中央部に矩形開口部５０ａを持つ、四角リング形状をしている。ベース部材５０は、その四隅で、上方へ突出する４つの突起５２を持つ。下側板バネ２４の外周側端部２４４は、これら４つの突起１２２が貫通する４つの貫通孔２４４ａを持つ。また、スペーサ３０は、これら４つの突起１２２が嵌入する４つの嵌入孔３０ａを持つ。
【００５１】
図２に示されるように、レンズホルダ１４の筒状部１４０の内周壁には雌ネジ１４２が切られている。一方、レンズアセンブリ（レンズバレル）１２の外周壁には、上記雌ネジ１４２に螺合される雄ネジ１２２が切られている。従って、レンズアセンブリ（レンズバレル）１２をレンズホルダ１４に装着するには、レンズアセンブリ（レンズバレル）１２をレンズホルダ１４の筒状部１４０に対して光軸Ｏ周りに回転して光軸Ｏ方向に沿って螺合することにより、レンズアセンブリ（バレル）１２をレンズホルダ１４内に収容し、接着剤などによって互いに接合する。
【００５２】
アクチュエータ本体１０は、駆動コイル１６に電力を供給するための一対の電極３６を備えている。ベース部材５０は、この一対の電極３６を挿設するための一対の挿入孔５０ｂ（図６参照）を持つ。
【００５３】
一対の電極３６を介して駆動コイル１６に通電することで、永久磁石１８の磁界と駆動コイル１６に流れる電流による磁界との相互作用によって、レンズホルダ１４（レンズアセンブリ１２）を光軸Ｏ方向に位置調整することが可能である。
【００５４】
上記アクチュエータ本体１０において、レンズアセンブリ１２を保持するレンズホルダ１４と駆動コイル１６との組み合わせは、中央部に配置された柱状の可動部（１４，１６）として働く。また、永久磁石１８、ヨーク２０、およびカバー２８の組み合わせは、可動部（１４，１６）の周囲に配置された筒状の固定部（１８，２０、２８）として働く。
【００５５】
次に、図５および図６を参照して、ヨーク２０とベース部材５０との位置決め構造について説明する。
【００５６】
図５に示されるように、ヨーク２０の外筒部(シールドヨーク)２０２の下端２０２ａは、ベース部材５０の主面上まで延在している。外筒部(シールドヨーク)２０２は、その下端２０２ａで、前後方向Ｘで対向する両側壁面に、４つの位置決め用凹部２０２ｂを持つ。
【００５７】
一方、図６に示されるように、ベース部材５０は、前後方向で対向する両端面に、上記４つ位置決め用凹部２０２ｂと嵌合する４つの位置決め用凸部５４を有する。
【００５８】
したがって、４つの位置決め用凸部５４をそれぞれ４つ位置決め用凹部２０２ｂに嵌合することによって、図７および図８に示されるように、ヨーク２０とベース部材５０とが位置決めされる。
【００５９】
次に、図４を参照して、カメラモジュール１００が装着されるソケット６０について説明する。
【００６０】
ソケット６０は、ソケット本体６２と、このソケット本体６２の４つの側壁に組み付けられる４つのソケット用遮蔽板６４と、ソケット用遮蔽板６４と一体に設けられた複数のロックピン６６とを備えている。図示の例では、ロックピン６６は、ソケット本体６２の左右方向Ｙで対向する両側壁に、端部側に８個設けられている。各ロックピン６６は、ソケット本体６２の内側に突出する屈曲部６６２を持つ。
【００６１】
ソケット本体６２は、絶縁性を有する材料で形成されている。ソケット用遮蔽板６４は、電磁遮蔽性および弾性を有する材料で形成されている。
【００６２】
図１に示されるように、カメラモジュール１００は、ソケット本体６２の底壁上で４つの側壁の内側に収容される。８個のロックピン６６は、カメラモジュール１００をロックするためのものである。
【００６３】
図５を参照すると、ヨーク２０のシールドヨーク２０２は、その下端２０２ａで、左右方向Ｙで対向する両側壁面に、８個のロックピン６６を受ける４つの曲げ部２０２ｃを備えている。
【００６４】
図２に示されるように、カメラモジュール１００をソケット６０に装着すると、ロックピン６６の屈曲部６６２がシールドヨーク２０２の曲げ部２０２ｃと直接接触する。これにより、ヨーク２０とロックピン６６（ソケット用遮蔽板６４）とを確実に導通させることができる。
【００６５】
このように、ソケット６０のロックピン６６で、シールドヨーク２０２の曲げ部２０２ｃを押えているので、携帯型小型カメラの落下試験でも、ベース部材５０からアクチュエータ本体１０が抜けることがない。
【００６６】
シールドヨーク２０２（ヨーク２０）は、強磁性体材料から構成され、電磁遮蔽性を有する。したがって、磁気回路とは別に、上述した特許文献１に記載されているようなケースを設ける必要がない。
【００６７】
図６を参照すると、ベース部材５０は、曲げ部２０２ｃの下に接着溝５０ｃを持つ。これにより、ヨーク２０とベース部材５０との接着層を確保することができる。尚、接着剤は、曲げ部２０２ｃと接着溝５０ｃとの間の隙間に、表面張力によって広がる。ベース部材５０は、その外周側面にシールド膜（図示せず）が蒸着されている。したがって、ヨーク２０とベース部材５０との間の導通も確実にとることができる。
【００６８】
図６乃至図８に示されるように、ベース部材５０は、その前面に２つの切欠き溝５０ｄを持ち、その右側面、左側面、および後面にそれぞれ１つの傾斜面５０ｅを持つ。ベース部材５０とヨーク２０とは、これら２つの切欠き溝５０ｄと３つの傾斜面５０ｅとに、例えば、エポキシ樹脂からなる接着剤を塗布することにより、互いに接着される。
【００６９】
以上、本発明についてその好ましい実施の形態によって説明してきたが、本発明の精神を逸脱しない範囲内で、種々の変形が当業者によって可能であるのは明らかである。
【符号の説明】
【００７０】
１００    カメラモジュール
１０    アクチュエータ本体
１２    レンズアセンブリ（レンズバレル）
１２２    雄ネジ
１４    レンズホルダ
１４０    筒状部
１４０−１    接触面
１４２    雌ネジ
１６    駆動コイル
１８    永久磁石
１８２    略三角柱状の永久磁石片
２０    ヨーク
２０２    シールドヨーク（外筒部）
２０２ａ    下端
２０２ｂ    位置決め用凹部
２０２ｃ    曲げ部
２０４    リング状端部
２０４ａ    嵌入孔
２０６    バックヨーク（内側垂直延在部）
２２    上側板バネ（前側スプリング）
２２２    内周側端部
２２４    外周側端部
２２４ａ    貫通孔
２２４ｂ    切欠き部
２２６    腕部
２４    下側板バネ（後側スプリング）
２４２    内周側端部
２４４    外周側端部
２４４ａ    貫通孔
２６    ストッパ
２８    カバー
２８ａ    円形開口部
２８２    突起
３０    スペーサ
３０ａ    嵌入孔
３４    リング状プレート
３６    電極
４０    センサ基板
４２    撮像素子
５０    ベース部材
５０ａ    矩形開口部
５０ｂ    挿入孔
５０ｃ    接着溝
５０ｄ    切欠き溝
５０ｅ    傾斜面
５２    突起
５４    位置決め用凸部
６０    ソケット
６２    ソケット本体
６４    ソケット用遮蔽板
６６    ロックピン
６６２    屈曲部
Ｏ    光軸（駆動軸）
【図１】
0005252235.tif 000002
【図２】
0005252235.tif 000003
【図３】
0005252235.tif 000004
【図４】
0005252235.tif 000005
【図５】
0005252235.tif 000006
【図６】
0005252235.tif 000007
【図７】
0005252235.tif 000008
【図８】
0005252235.tif 000009